(57)【要約】      （修正有）【課題】潤滑油を使い切ったとき、使用者が潤滑油を簡便に充填でき、潤滑装置全体を廃棄する必要のない潤滑装置を備えたボールねじを提供する。【解決手段】ボールねじは、長軸とナットと複数の転動体と潤滑装置とを含み、長軸１は棒状構造で外周面に螺旋状の転動溝１１が設けられ、ナット２は長軸を穿設する穿孔を有し、穿孔の内周面に長軸の転動溝に対向する転動溝２１が設けられ、転動体３は長軸の転動溝とナットの転動溝との間に配置され、潤滑装置４は長軸が穿設される環状構造で、ナットの端面に固定され、第１部材と第２部材と潤滑ユニットとを含み、第１部材４１と第２部材４２とが組み合わさって潤滑ユニットを配置する収容部を構成し、第１部材及び第２部材には互いを接続する係合溝と係合ブロックが設けられ、係合溝は入口部とネック部と位置決め部とが順に連接され、係合ブロックの幅は入口部の幅及び位置決め部の幅より狭く、ネック部の幅より広い。【選択図】図１
0003210265.tif 000002
【実用新案登録請求の範囲】
【請求項１】
潤滑装置を備えたボールねじであって、
長軸と、ナットと、複数の転動体と、潤滑装置とを、含み、
前記長軸は棒状構造であり、前記長軸の外周面には螺旋状の転動溝が設けられ、
前記ナットは前記長軸を穿設するための穿孔を有し、前記穿孔の内周面には前記長軸の前記転動溝に対向する転動溝が設けられ、
前記転動体は、前記長軸の前記転動溝と前記ナットの前記転動溝との間に配置され、
前記潤滑装置は前記長軸が穿設される環状構造であり、前記潤滑装置は前記ナットの端面に配置され固定されており、
前記潤滑装置は、第１部材と、第２部材と、潤滑ユニットとを含み、
前記第１部材と前記第２部材とが組み合わさって前記潤滑ユニットを配置するための収容部を構成し、
前記第１部材及び前記第２部材には互いを結合するための係合溝と係合ブロックが設けられ、前記係合溝と前記係合ブロックとが互いに係合することで、前記第１部材と前記第２部材とが結合し、
前記係合溝は、入口部と、ネック部と、位置決め部とが、順に連接して構成され、
前記係合ブロックの幅は、前記入口部の幅及び前記位置決め部の幅よりは狭く、前記ネック部の幅よりは広い
潤滑装置を備えたボールねじ。
【請求項２】
請求項１に記載の潤滑装置を備えたボールねじであって、
前記ナットは、前記穿孔の少なくとも一端に取付溝を有し、
前記潤滑装置は、前記取付溝に対応する固定部を有し、
前記固定部は、前記取付溝内に収容され、
前記ナットは、外周面から前記取付溝まで貫通するネジ孔を有し、
前記ネジ孔にはネジが、一端が前記固定部に当接するように締結される
潤滑装置を備えたボールねじ。
【請求項３】
請求項１に記載の潤滑装置を備えたボールねじであって、
前記潤滑ユニットは、潤滑体と、塗布部材とを含み、
前記潤滑体は、潤滑油を含み、
前記塗布部材は、前記長軸の表面と接触し、前記潤滑体の潤滑油を吸収して前記長軸の表面に塗布する
潤滑装置を備えたボールねじ。
【請求項４】
請求項１に記載の潤滑装置を備えたボールねじであって、
前記ネック部の幅をＨとし、前記係合ブロックの幅をＵとするとき、ＨとＵが、０．７≦Ｈ／Ｕ＜１の関係式を満たす
潤滑装置を備えたボールねじ。
【考案の詳細な説明】
【技術分野】
【０００１】
本考案は、伝動コンポーネントに関し、特に潤滑装置を備えたボールねじに関する。
【背景技術】
【０００２】
リニア伝動コンポーネント製品は、現代産業において適用範囲が益々広がっている。例えば、リニアガイドやボールねじ等の各種のリニア伝動コンポーネント製品は、人間の生活、加工工場やハイテク設備内に広く用いられている。特に一般の大型精密機器には大小異なるボールねじやリニアガイドシステムが取り付けられている。リニア伝動コンポーネントの技術が迅速な発展を遂げる一方において、消費使用者は依然として技術の絶え間ない進歩を必要とし、開発課題も多く生まれている。特に安定さ、静かさを必要とする多くの高度精密製造産業機器領域においては、研究開発改良への需要が絶えず、現在のリニア伝動コンポーネントにおける若干の技術盲点は研究開発による改善が望まれている。
【０００３】
リニア伝動コンポーネントは運行時に最も必要とされるのは十分に潤滑されることである。現在、便利且つオイル配管の設置を必要としない潤滑システムとして、例えば台湾特許公告第Ｉ２７９４９７号公報がある。当該リニア伝動コンポーネントはボールねじであって、主としてナット、ねじ軸、少なくとも一つの潤滑ユニット及び少なくとも一つの貯油ケースを含み、当該潤滑ユニットはナット内に組み込まれて位置決めされ、当該潤滑ユニットは、一端が当該ねじ軸と接触し、他端が当該貯油ケースに設けられた送出部材と連結され、潤滑ユニットに当該貯油ケース内の潤滑油を吸収させて当該ねじ軸を潤滑させ、当該送出部材及び潤滑ユニットの材料に羊毛フェルトが用いられ、これによってボールねじの運行時の摩耗を防止する。
【先行技術文献】
【特許文献】
【０００４】
【特許文献１】台湾特許公告第Ｉ２７９４９７号公報
【考案の概要】
【考案が解決しようとする課題】
【０００５】
しかしながら、上記技術では、貯油ケースが閉鎖的な構造であるため、その内部の潤滑油を使い切ったら、貯油ケース全体を交換しなければならず、資源の無駄となる。グリーン製品が提唱されている社会の情勢の下、従来技術はさらに改良する必要がある。
【０００６】
上記課題に鑑みて、本考案の目的は、主に、潤滑油を使い切ったとき、使用者が潤滑油を簡便に充填できる潤滑装置を提供し、潤滑装置全体を廃棄しなければならないという問題を解消することにある。
【課題を解決するための手段】
【０００７】
上記目的を達成するために、本考案に係る潤滑装置を備えたボールねじは、長軸と、ナットと、複数の転動体と、潤滑装置とを、含み、前記長軸は棒状構造であり、前記長軸の外周面には螺旋状の転動溝が設けられ、前記ナットは前記長軸を穿設するための穿孔を有し、前記穿孔の内周面には前記長軸の前記転動溝に対向する転動溝が設けられ、前記転動体は、前記長軸の前記転動溝と前記ナットの前記転動溝との間に配置され、前記潤滑装置は前記長軸が穿設される環状構造であり、前記潤滑装置は前記ナットの端面に配置され固定されており、前記潤滑装置は、第１部材と、第２部材と、潤滑ユニットとを含み、前記第１部材と前記第２部材とが組み合わさって前記潤滑ユニットを配置するための収容部を構成し、前記第１部材及び前記第２部材には互いを結合するための係合溝と係合ブロックが設けられ、前記係合溝と前記係合ブロックとが互いに係合することで、前記第１部材と前記第２部材とが結合し、前記係合溝は、入口部と、ネック部と、位置決め部とが、順に連接して構成され、前記係合ブロックの幅は、前記入口部の幅及び前記位置決め部の幅よりは狭く、前記ネック部の幅よりは広い。
【０００８】
また、好ましくは、前記ナットは、前記穿孔の少なくとも一端に取付溝を有し、前記潤滑装置は、前記取付溝に対応する固定部を有し、前記固定部は、前記取付溝内に収容され、前記ナットは、外周面から前記取付溝まで貫通するネジ孔を有し、前記ネジ孔にはネジが、一端が前記固定部に当接するように締結される。
【０００９】
また、好ましくは、前記潤滑ユニットは、潤滑体と、塗布部材とを含み、前記潤滑体は、潤滑油を含み、前記塗布部材は、前記長軸の表面と接触し、前記潤滑体の潤滑油を吸収して前記長軸の表面に塗布する。
【００１０】
また、好ましくは、前記ネック部の幅をＨとし、前記係合ブロックの幅をＵとするとき、ＨとＵが、０．７≦Ｈ／Ｕ＜１の関係式を満たす。
【考案の効果】
【００１１】
本考案においては、係合溝及び係合ブロックを設けることによって、第１部材と第２部材の組立・分解（着脱）を迅速に行うことができ、使用者が使い切った潤滑ユニットを交換できるようにして、潤滑装置全体を廃棄しなければならないという問題を回避することができる。
【図面の簡単な説明】
【００１２】
【図１】本考案に係る潤滑装置を備えたボールねじの分解斜視図である。
【図２】本考案に係る潤滑装置を備えたボールねじの組立図である。
【図３】図２におけるＡ−Ａ断面図である。
【図４】図２におけるＡ−Ａ部分拡大断面図で、潤滑装置の第１部材と第２部材との組立過程を示す動作図である。
【図５】図２におけるＡ−Ａ部分拡大断面図で、潤滑装置の第１部材と第２部材との組立過程を示す動作図である。
【図６】図２におけるＢ−Ｂ部分拡大断面図で、潤滑装置の第１部材と第２部材との組立過程を示す動作図である。
【図７】図２におけるＢ−Ｂ部分拡大断面図で、潤滑装置の第１部材と第２部材との組立過程を示す動作図である。
【図８】本考案に係る潤滑装置の係合溝の輪郭図である。
【考案を実施するための形態】
【００１３】
図１から図７を参照されたい。本考案に係る潤滑装置を備えたボールねじは、長軸１と、ナット２と、複数の転動体３と、潤滑装置４とを含む。長軸１は、長い棒状構造で、その外周面に螺旋状の転動溝１１が設けられる。ナット２は、長軸１を穿設するための穿孔２１を有する。穿孔２１の内周面には長軸１の転動溝１１に対向する転動溝２１１が設けられる。複数の転動体３は、長軸１の転動溝１１とナット２の転動溝２１１との間に配置される。本実施形態では、２つの潤滑装置４を含む例を説明するが、１つの潤滑装置４を含んでもよい。潤滑装置４は、長軸１が穿設される環状構造である。潤滑装置４はナット２の両端面に配置され固定される。２つの潤滑装置４はそれぞれ、第１部材４１と、第２部材４２と、潤滑ユニットとを含む。第１部材４１と第２部材４２とが組み合わさって、潤滑ユニットを収容するための収容部Ａを構成する。潤滑ユニットは、潤滑体４３と、塗布部材４４とを含む。潤滑体４３は潤滑油を含む。塗布部材４４は長軸１の表面と接触し、潤滑体４３の潤滑油を吸収して潤滑油を長軸１の表面に塗布する。本実施形態の第１部材４１には収容溝４１１が設けられる。収容溝４１１と第２部材４２とが合わさって収容部Ａが形成される。第１部材４１と第２部材４２には互いを結合するための係合溝４１２と係合ブロック４２１とが設けられ、係合溝４１２と係合ブロック４２１とが互いに係合することで、第１部材４１と第２部材４２とが結合する。
図７及び図８（Ａ）〜図８（Ｄ）に示すように、係合溝４１２は、入口部４１２Ａと、ネック部４１２Ｂと、位置決め部４１２Ｃとが順に連接して構成される。係合ブロック４２１の幅Ｕは、入口部４１２Ａの幅Ｔ及び位置決め部４１２Ｃの幅Ｃよりは狭く、ネック部４１２Ｂの幅Ｈよりは広い。実験による検証を行い、ネック部４１２Ｂの幅Ｈと係合ブロック４２１の幅Ｕとの比Ｈ／Ｕは、予め定められた値とし、０．７≦所定値Ｈ／Ｕ＜１の関係式を満たすものと設定する。このようにすることで、係合ブロック４２１がネック部４１２Ｂを通過する際に抵抗が小さくスムーズとなり、第１部材４１と第２部材４２との組立・分解の回数も多くなるようにすることができる。一方、この値を満たさない場合は、係合ブロック４２１とネック部４１２Ｂとが摩耗しやすく破損しやすくなり、両者の使用寿命を大幅に下げる結果となる。
図８（Ａ）〜図８（Ｄ）は、係合溝４１２の例を示す図である。図８（Ｃ）に示すように、ネック部４１２Ｂ及び位置決め部４１２Ｃと入口部４１２Ａとの間には所定の角度が形成されてもよい。この点、図８（Ａ）、図８（Ｂ）及び図８（Ｄ）と異なる。このようにすることで、第１部材４１と第２部材４２との結合力を高めて両者の間の緩みや離脱を回避することができる。本実施形態では、第１部材４１に複数の係合溝４１２が設けられ、第２部材４２に係合溝４１２に対応した係合ブロック４２１が対応した数だけ設けられている。このような構成以外にも、第１部材４１に係合ブロックが設けられ、第２部材４２に係合溝が設けられて係合するようにしてもよい。または、第１部材４１に係合ブロック及び係合溝が交互に設けられ、第２部材４２にも対応して係合溝及び係合ブロックが交互に設けられ、第１部材４１と第２部材４２との係合ブロックと係合溝とが互いに係合するようにしてもよい。
【００１４】
本実施形態では、潤滑装置の固定にはネジによって締結する固定方法が用いられる。穿孔２１の少なくとも一端に取付溝２２が設けられる。本実施形態では、潤滑装置４を２つ含むため、穿孔２１は両端にそれぞれ取付溝２２が設けられる。潤滑装置４は取付溝２２に対応する固定部４１３を有する。本実施形態では、固定部４１３は、第１部材４１に設けられる。固定部４１３は、取付溝２２内に収容される。また、ナット２には外周面から取付溝２２まで貫通するネジ孔２３が設けられ、ネジＧが、一端が固定部４１３に当接するようにネジ孔２３に締結されて、潤滑装置４がナット２の端面に固定される。
【００１５】
以上のように、本考案が「産業上の利用可能性を有する」ことには疑いの余地がない。また、本実施例において開示した技術的特徴は、出願前に刊行物に掲載されたことも、公開使用されたこともなく、上記の効果増進の事実を有するだけでなく、付加的な効果も見損なうことができない。よって、本考案の「新規性」及び「進歩性」は実用新案法規の規定を満たしており、法に従って実用新案登録出願をするので、審査を通じて早期に登録がされることを期待する。
【００１６】
以上の実施形態による開示は本考案を説明するためのもので、本考案を限定するものではない。従って、数値の変更や等効素子の置換等は、いずれも本考案の範囲に含まれる。
【符号の説明】
【００１７】
１                        長軸
１１                      転動溝
２                        ナット
２１                      穿孔
２１１                    転動溝
２２                      取付溝
２３                      ネジ孔
３                        転動体
４                        潤滑装置
４１                      第１部材
４１１                    収容溝
４１２                    係合溝
４１２Ａ                  入口部
４１２Ｂ                  ネック部
４１２Ｃ                  位置決め部
Ｔ、Ｃ、Ｕ、Ｈ            幅
４１３                    固定部
４２                      第２部材
４２１                    係合ブロック
４３                      潤滑体
４４                      塗布部材
Ｇ                        ネジ
Ａ                        収容部
【図１】
0003210265.tif 000003
【図２】
0003210265.tif 000004
【図３】
0003210265.tif 000005
【図４】
0003210265.tif 000006
【図５】
0003210265.tif 000007
【図６】
0003210265.tif 000008
【図７】
0003210265.tif 000009
【図８】
0003210265.tif 000010